(57)【要約】【課題】各種ビル，  地下鉄，  地下街，  地下道，  地下駐車場等の構造物の開口部（出入口、広窓等）の浸水危険領域を、迅速に遮断し外部からの急激な流水侵入を確実に防止する簡単構造で且つ堅牢構造の防水装置を提供する。【解決手段】構造物の開口部の両側部と、前記両側部の下部間部に、防水パネルの背面の両側部と下端部を密着当接して外部から開口部内への流入浸水を防止する防水装置であって、前記開口部の両側部上下に前記防水パネルの両側部上下を平行回動シフトリンク機構で連結して前記防水パネルが前記開口部の両側部に対して平行回動シフト可能にし、前記平行回動シフトリンク機構はダブルラチエットレンチ式のリンクアーム又はシングルラリエット式のリンクアームで連結してなることを特徴とする防水装置。前記前記防水パネルの両側部背面と下端面に緩衝シール材を配設したことを特徴とする防水装置。【選択図】図１
2019100170.tif 000002
【特許請求の範囲】
【請求項１】
構造物の開口部の両側部と、前記両側部の下部間部に、防水パネルの背面の両側部と下端部を密着当接して外部から開口部内への流入浸水を防止する防水装置であって、前記開口部の両側部上下に前記防水パネルの両側部上下を平行回動シフトリンク機構で連結して前記防水パネルが前記開口部に対して平行回動シフト可能にし、前記平行回動シフトリンク機構は前記開口部の両側部上下と前記防水パネルの両側部上下の各々に角ボルトを平行関係で突設し、前記開口部の両側部各々の上の角ボルトと前記防水パネルの両側部各々の上の角ボルト間、及び前記開口部の両側部各々の下の角ボルトと前記防水パネルの両側部各々の下の角ボルト間をダブルラチエットレンチ式のリンクアームで連結してなることを特徴とする防水装置。
【請求項２】
構造物の開口部の両側部と、前記両側部の下部間部に、防水パネルの背面の両側部と下端部を密着当接して外部から開口部内への流入浸水を防止する防水装置であって、前記開口部の両側部上下に前記防水パネルの両側部上下を平行回動シフトリンク機構で連結して前記防水パネルが前記開口部に対して平行回動シフト可能にし、前記平行回動シフトリンク機構は前記開口部の両側部上下の各々に丸ボルトを平行関係で突設し、前記防水パネルの両側部上下の各々に角ボルトを平行関係で突設し、前記開口部の両側部各々の上の丸ボルトと前記防水パネルの両側部各々の上の角ボルト間、及び前記開口部の両側部各々の下の丸ボルトと前記防水パネルの両側部各々の下の角ボルト間をシングルラチエットレンチ式のリンクアームで連結し、前記シングルラチエットレンチ式のリンクアームは、一方のラチエットレンチを角ボルトに連結させ他方のレンチ穴を丸ボルトに連結してなることを特徴とする防水装置。
【請求項３】
前記前記防水パネルの両側部背面と下端面に緩衝シール材を配設したことを特徴とする請求項１又は請求項２に記載の防水装置。
【請求項４】
前記緩衝シール材を人工又は天然ゴム材、或いは軟質の合成樹脂材、フェルト材、植物繊維材、金属繊維材の１種にしたことを特徴とする請求項３に記載の防水装置。
【発明の詳細な説明】
【技術分野】
【０００１】  本発明は、各種ビル，  地下鉄，  地下街，  地下道，  地下駐車場等の構造物の開口部（出入口、広窓等）の主に浸水危険領域を、ワンタッチ的に迅速に遮断し外部からの急激な流水侵入を確実に防止する簡単構造で且つ堅牢構造の防水装置に関する。
【背景技術】
【０００２】  近年，  都市部等の一部地域における集中豪雨，  洪水等により，  ビル，  地下鉄，  地下街，  地下道，  地下駐車場等の構造物内にその入口や窓等の開口部から水が急激に流入して浸水し甚大な被害を及ぼしている。【０００３】  このような構造物の開口部に外部からの急激な流入水を防止するには，多大な人力と時間を必要とする旧来からの土嚢の積み上げの他に、上記構造物の開口部に設置する防水装置として、可撓性の防水シートを該開口部に幕張する幕張遮断式防水装置（：特許文献１）、横行防水パネルを該開口部に横行作動させて遮断する横行遮断防水装置（：特許文献２、特許文献３）、上方から嵌めこみ防水パネルを降下作動させて該開口部を遮断する下降遮断式防水装置（：特許文献４）、防水シートを工具を使用せずに素早くを遮断し、しかも部品点数が少なく、かつ構造簡単で廉価に提供でき、その上、通常時に該開口部の側部フレームとして使用されているレールカバーを利用して防水カバーを設置できるようにした、防水装置（：特許文献５）等が紹介されている。
【先行技術文献】
【特許文献】
【０００４】
【特許文献１】特開２００１−２２７２５５号公報
【特許文献２】特開２００５−３５０９０１号公報
【特許文献３】特開２００８−１５０８２９号公報
【特許文献４】特開２００８−１６９５６１号公報
【特許文献５】特開２０１６−２０６１３号公報
【発明の概要】
【発明が解決しようとする課題】
【０００５】  しかしながら、前記従来の防水装置は、該開口部の形態によってはメリットデメリットがあるが、可動部の駆動機構の設置、及び横行ガイド・昇降ガイド・嵌め込み溝等の成形加工、及びこれらのメンテナンス、更には多くの取り付け作業や収納場所の確保等々、人力作業及び電力駆動操作を必要とするため、経済性は勿論も該開口部の遮断の迅速性、及び流入浸水量の低減効果には多少の難があった。【０００６】  本発明は、各種ビル，  地下鉄，  地下街，  地下道，  地下駐車場等の構造物の開口部（出入口、広窓等）を、迅速に密閉し外部からの急激な流水侵入を確実に防止する簡単且つ堅牢構造の防水装置を提供する。
【課題を解決するための手段】
【０００７】上記課題を満足させる本発明の防水装置の主な技術構成は、次の（１）〜（２）の通りである。
（１）、構造物の開口部の両側部と、前記両側部の下部間部に、防水パネルの背面の両側部と下端部を密着当接して外部から開口部内への流入浸水を防止する防水装置であって、前記開口部の両側部上下に前記防水パネルの両側部上下を平行回動シフトリンク機構で連結して前記防水パネルが前記開口部に対して平行回動シフト可能にし、前記平行回動シフトリンク機構は前記開口部の両側部上下と前記防水パネルの両側部上下の各々に角ボルトを平行関係で突設し、前記開口部の両側部各々の上の角ボルトと前記防水パネルの両側部各々の上の角ボルト間、及び前記開口部の両側部各々の下の角ボルトと前記防水パネルの両側部各々の下の角ボルト間をダブルラチエットレンチ式のリンクアームで連結してなることを特徴とする防水装置。【０００８】  （２）、構造物の開口部の両側部と、前記両側部の下部間部に、防水パネルの背面の両側部と下端部を密着当接して外部から開口部内への流入浸水を防止する防水装置であって、前記開口部の両側部上下に前記防水パネルの両側部上下を平行回動シフトリンク機構で連結して前記防水パネルが前記開口部に対して平行回動シフト可能にし、前記平行回動シフトリンク機構は前記開口部の両側部上下の各々に丸ボルトを平行関係で突設し、前記防水パネルの両側部上下の各々に角ボルトを平行関係で突設し、前記開口部の両側部各々の上の丸ボルトと前記防水パネルの両側部各々の上の角ボルト間、及び前記開口部の両側部各々の下の丸ボルトと前記防水パネルの両側部各々の下の角ボルト間をシングルラチエットレンチ式のリンクアームで連結し、前記シングルラチエットレンチ式のリンクアームは、一方のラチエットレンチを角ボルトに連結させ他方のレンチ穴を丸ボルトに連結してなることを特徴とする防水装置。
（３）、前記防水パネルの両側部背面と下端面に緩衝シール材を配設したことを特徴とする
前記（１）又は（２）に記載の防水装置。
【発明の効果】
【０００９】＜本発明の構成の主な特徴と作用効果の要約＞
本発明の防水装置は、前記防水パネルと同防水パネルを前記開口部に対して平行回動シフト可能にした前記平行回動シフトリンク機構とにより構成した極めて簡単で堅牢でしかも円滑迅速かつ正確な遮断シフト作動を可能にした構造である。【００１０】  更に該開口部の遮断操作は、前記平行回動シフトリンク機構の前記リンクアームのダブルラチエットレンチを対応角ボルトに嵌めて連結した後に同防水パネルを正面から所定角度手押しするだけで瞬時に完了する。つまり手押しで防水パネルを開口部の両側部の角ボルトを中心に正確に平行回動シフトさせて該開口部の両側部と下部面に圧接密着フィットさせて迅速に遮断がなされる。このため外部から該開口部内への急激な流水侵入を確実に阻止する。【００１１】  前記開口部と前記防水パネルとを連結する前記平行回動シフトリンク機構は、前記ダブルラチエットレンチ式のリンクアーム或いはシングルラチエット式のリンクアームにしてあるため、前記開口部に対する防水パネルの着脱をワンタッチで容易に可能にし、しかも前記開口部を遮断後の防水パネルは水圧を受けるとその水圧が高くなるにつれ該開口部への平行回動シフトを微動に促進しながらその都度逆回動シフトをロックして圧接力を増して流水侵入防止効果を更に顕著にするのである。
【図面の簡単な説明】
【００１２】
【図１】  （１）は本発明の防水装置の実施例を示し、防水パネルを平行回動シフトリンク機構により構造物の開口部に当接して開口部内への流入浸水を遮断した状態を示す正面説明図である。
【図２】  （１）は図１の右側の要部拡大説明図を示し、（２）は図１の左側の要部拡大説明図を示す。
【図３】  図１の矢視Ａ−Ａからみた一部断面の平面説明図である。
【図４】  （１）は図３の右側の要部拡大説明図を示し、（２）は図３の左側の要部拡大説明図を示す。
【図５】  （１）は図１の矢視Ｂ−Ｂからみた側面説明図であり、（２）は図１の矢視Ｃ−Ｃからみた側面説明図である。
【図６】  （１）は図５の右側の要部拡大説明図を示し、（２）は図５の左側の要部拡大説明図を示す。
【図７】  図１の右側から見た斜視図説明図である。
【図８】  図１の裏側から見た斜視図説明図である。
【図９】  実施例２の要部を示し、図２をアレンジして示す。
【図１０】  図９のＤ−Ｄから見た側面説明図である。
【発明を実施するための形態】
【００１３】  発明を実施するための形態を次に記載の実施例により詳細に説明する。
【実施例１】
【００１４】  本発明の実施例１の基本的な構成を図１〜図８に示す。
図１〜図８において、本例の防水装置は、構造物の開口部１００の両側部１０１，１０２と、前記両側部１０１，１０２の下部間部材１０３に、防水パネル２００の背面の両側部２０１，２０２と下端部２０３を密着当接して外部から開口部１００内への流入浸水を防止する防水装置である。【００１５】  該開口部１００の防水装置は、防水パネル２００と、前記開口部１００の両側部１０１，１０２上下に前記防水パネル２００の両側部２０１，２０２の各上下を連結して前記防水パネル２００が前記開口部１００に対して平行回動シフト可能にした平行回動シフトリンク機構３０１，３０２と、前記防水パネル２００の両側部背面と下端面に配設した緩衝シール材４０１，４０２，４０３とで構成してある。【００１６】  防水パネル２００は、アルミニウム、ステンレススチール等の金属製、強化プラスチック等の樹脂製でよく、構造としては一重又は二重構造タイプパネル、二重構造の内部に補強リブを配置した補強二重構造タイプパネル等で構成し良い。また複数の防水パネルを段設連結して一体的に構成してもよい。【００１７】  平行回動シフトリンク機構３０１，３０２は、前記開口部１００の両側部１０１，１０２の各上下と前記防水パネル２００の両側部２０１，２０２の各上下の各々に角ボルト３１．３２．３３．３４．３５．３６．３７．３８を水平に互いに平行関係で突設し、前記開口部１００の両側部１０１，１０２各々の上の角ボルト３１．３２と前記防水パネル２００の両側部２０１，２０２各々の上の角ボルト３３．３４間、及び前記開口部１００の両側部１０１，１０２各々の下の角ボルト３５．３６．と前記防水パネル２００の両側部２０１，２０２各々の下の角ボルト３７．３８間をダブルラチエットレンチ式のリンクアーム４１．４２．４３．４４で連結してなる。これで前記開口部１００に対する防水パネル２００の着脱をワンタッチで容易に可能にした。【００１８】  ダブルラチエットレンチ式のリンクアーム４１．４２．４３．４４の各々は、リンクアームの両端にラチエットレンチ部５１．５２．５３．５４．５６．５６．５７．５８を設け、このラチエットレンチ部５１．５２．５３．５４．５６．５６．５７．５８は中央部の角穴に対応角ボルト３１．３２．３３．３４．３５．３６．３７．３８を嵌め、前記防水パネル２００の前記開口部１００に対する平行回動の遮断シフト時の逆転ロックと、平行回動の開放シフト時の逆転ロックとを切り替え可能にしてある。図中Ｓはこの逆転ロック方向を手動で切り替え変換する転換レバーである。【００１９】  緩衝シール材４０１，４０２，４０３は、前記防水パネル２００の両側部背面と下端面に配設して、前記防水パネル２００による前記開口部１００の両側部表面と下部表面への圧接密着フィット効果を顕著に得るものであり、人工又は天然ゴム材、或いは軟質の合成樹脂材、フェルト材、植物繊維材、金属繊維材の１種を適宜に採用する。
尚、図示していないが、前記平行回動シフトリンク機構３０１，３０２は、その周囲に適宜な保護カバーを付設して流水に混入して来る瓦礫などからの損傷を防止することが好ましい。
【実施例２】
【００２０】  なお、前例はダブルラチェットによる例であるが、着脱をより簡便にする目的で図９と図１０に示すように片側を半円状とした片側ラチェットの構造としてもロックが有効なので、
同様の効果がある。
即ち、実施例１の前記平行回動シフトリンク機構３０１，３０２は、ダブルラチエットレンチ式のリンクアームを適用したが、本実施例２は、図２をアレンジした図９と図１０に示すように、シングルラチエット式（片側レチエット式）リンクアーム６１．６２．６３．６４を適用した防水装置である。
シングルラチエット式リンクアーム６１．６２．６３．６４は、前記防水パネル２００側の角ボルト３５．３６．３７．３８にラチエットレンチ５６．５６．５７．５８で連結し、前記開口部１００の両側部１０１，１０２側は、単なる半円型レンチ７１．７２．７３．７４にしこれに嵌めるボルトを丸ボルト８１．８２．８３．８４にして回転可能に連結したものであり前例同様の作用効果が得られる。
【産業上の利用可能性】
【００２１】  本発明の防水装置は、構造物の開口部（出入口、広窓等）の浸水危険領域を、ワンタッチで迅速に遮断し、外部からの急激な流水侵入を確実に防止する簡単構造で且つ堅牢構造の防水装置であり、あらゆる水災害に対応できるため各種ビル，  地下鉄，  地下街，  地下道，  地下駐車場等の構造物の建築産業界における安全な水害対策に貢献すること多大なものがあり産業上の利用可能性は極めて高い。
【符号の説明】
【００２２】  １００：構造物の開口部
１０１，１０２：開口部両側部
１０３：開口部両側部の下部間部材
２００：防水パネル
２０１，２０２：防水パネル背面の両側部
２０３：防水パネル背面の下端部
３０１，３０２：平行回動シフトリンク機構
４０１，４０２，４０３：緩衝シール材
３１．３２．３３．３４．３５．３６．３７．３８：角ボルト
８１．８２．８３．８４：丸ボルト
８５．８６．８７．８８：角ボルト
４１．４２．４３．４４：ダブルラチエットレンチ式のリンクアーム
６１．６２．６３．６４：シングルラチエットレンチ式のリンクアーム
５１．５２．５３．５４．５５．５６．５７．５８：ラチエットレンチ部
７１．７２．７３．７４：半月穴レンチ
７５．７６．７７．７８：ラチエットレンチ
Ｓ：逆転ロック方向の切り替え変換用の転換レバー
【図１】
2019100170.tif 000003
【図２】
2019100170.tif 000004
【図３】
2019100170.tif 000005
【図４】
2019100170.tif 000006
【図５】
2019100170.tif 000007
【図６】
2019100170.tif 000008
【図７】
2019100170.tif 000009
【図８】
2019100170.tif 000010
【図９】
2019100170.tif 000011
【図１０】
2019100170.tif 000012